(57)【要約】【課題】最短の時間・距離を基準とせずに、楽しくかつ縁起のよいドライブ等をするための指針ができるナビゲーション装置及びナビゲーションソフトを提供する。【解決手段】現在位置を検出するＧＰＳ受信部１２と、地図情報を記憶する地図情報記憶部１７１と、所定位置からの縁起がよい及び／又は縁起が悪いとされる方位占い情報を記憶する方位占い情報記憶部１７２と、ＧＰＳ受信部１２で検出された現在位置に基づいて、方位占い記憶部１７２から進むべき吉方位及び／又は進むべきではない凶方位の範囲を算出するナビゲーション処理部１７３と、地図情報記憶部１７１から読み出した現在位置の地図上に、ナビゲーション処理部１７３で算出した方位の範囲を表示する表示部１６とを含む。【選択図】図１
2005332155.tif 000002
【特許請求の範囲】
【請求項１】
現在位置を検出する位置検出部と、
地図情報を記憶する地図情報記憶部と、
所定位置からの縁起がよい及び／又は縁起が悪いとされる方位占い情報を記憶する方位占い情報記憶部と、
前記位置検出部で検出された現在位置に基づいて、前記方位占い記憶部から進むべき吉方位及び／又は進むべきではない凶方位の範囲を算出する制御部と、
前記地図情報記憶部から読み出した現在位置の地図上に、前記制御部で算出した方位の範囲を表示する表示部と、
を含むナビゲーション装置。
【請求項２】
請求項１に記載のナビゲーション装置において、
恋愛運・金運・健康運・仕事運を含む占い目的コースを選択する占い目的コース選択部を備え、
前記地図情報記憶部は、名所・旧跡・観光施設を含む立ち寄り目的地を記憶しており、
前記制御部は、前記占い目的コースに応じて、前記吉方位の範囲内の前記立ち寄り目的地を含む走行ルートを選択すること、
を特徴とするナビゲーション装置。
【請求項３】
請求項１又は請求項２に記載のナビゲーション装置において、
使用者及び／又は同伴者の個人情報を入力する個人情報入力部を備え、
前記制御部は、前記個人情報に応じて、前記方位占い情報記憶部に前記吉方位及び／又は凶方位の範囲を算出すること、
を特徴とするナビゲーション装置。
【請求項４】
請求項１から請求項３までのいずれか１項に記載のナビゲーション装置の制御部を動作させることを特徴とするナビゲーションソフト。
【発明の詳細な説明】
【技術分野】
【０００１】
本発明は、車両などに使用され、道路地図等を表示して経路案内等を行うナビゲーション装置及びナビゲーションソフトに関するものである。
【背景技術】
【０００２】
従来、この種のナビゲーション装置は、ＧＰＳ等に基づいて、自車両の現在位置を道路地図と重ね合せて表示する機能や、指定した目的地までの推奨する経路を求めるルート検索機能、目的地までの経路を案内するルート案内機能などを備えている。このとき、目的地までの経路は、最短時間や最短距離のものを推奨するのが一般的である。
しかし、車の運転は、早く目的地に着きたい場合だけでなく、特に目的地を定めず時間をかけて１日ゆっくりドライブしたい場合や、目的地は定めても、その経路中の観光を兼ねたデートなどのドライブもあるが、そのような機能を備えたナビゲーション装置はなかった。
【０００３】
特許文献１は、地図情報以外に歳時記、クイズ、占いなどの情報を、検索待ち時間等に表示する機能を持っているが、待たされているという感覚を和らげるだけであり、失敗のないデート等を目的としたドライブの指針にはならなかった。
【特許文献１】特開２００１−１６５６７６号公報
【発明の開示】
【発明が解決しようとする課題】
【０００４】
本発明の課題は、最短の時間・距離を基準とせずに、楽しくかつ縁起のよいドライブ等をするための指針ができるナビゲーション装置及びナビゲーションソフトを提供することである。
【課題を解決するための手段】
【０００５】
前記課題を解決するために、請求項１の発明は、現在位置を検出する位置検出部と、地図情報を記憶する地図情報記憶部と、所定位置からの縁起がよい及び／又は縁起が悪いとされる方位占い情報を記憶する方位占い情報記憶部と、前記位置検出部で検出された現在位置に基づいて、前記方位占い記憶部から進むべき吉方位及び／又は進むべきではない凶方位の範囲を算出する制御部と、前記地図情報記憶部から読み出した現在位置の地図上に、前記制御部で算出した方位の範囲を表示する表示部と、を含むナビゲーション装置である。
請求項２の発明は、請求項１に記載のナビゲーション装置において、恋愛運・金運・健康運・仕事運を含む占い目的コースを選択する占い目的コース選択部を備え、前記地図情報記憶部は、名所・旧跡・観光施設を含む立ち寄り目的地を記憶しており、前記制御部は、前記占い目的コースに応じて、前記吉方位の範囲内の前記立ち寄り目的地を含む走行ルートを選択すること、を特徴とするナビゲーション装置である。
請求項３の発明は、請求項１又は請求項２に記載のナビゲーション装置において、使用者及び／又は同伴者の個人情報を入力する個人情報入力部を備え、前記制御部は、前記個人情報に応じて、前記方位占い情報記憶部に前記吉方位及び／又は凶方位の範囲を算出すること、を特徴とするナビゲーション装置である。
【０００６】
請求項４の発明は、請求項１から請求項３までのいずれか１項に記載のナビゲーション装置の制御部を動作させることを特徴とするナビゲーションソフトである。
【発明の効果】
【０００７】
以上説明したように、本発明によれば、従来のナビゲーションのように距離・時間から進行方向を得るのではなく、縁起が良いとされる経路を、方位占いデータ記憶部から得てナビゲーションすることができ、例えば、占い目的コースや、立ち寄り目的地を、方位占い情報に基づいて選択でき、ドライブ、デート等の走向ルートの選択に有用である、という効果がある。
【発明を実施するための最良の形態】
【０００８】
本発明は、楽しくかつ縁起のよいドライブ等をするための指針ができるという目的を、縁起が良いとされる経路を、方位占いデータ記憶部から得てナビゲーションすることによって実現する。
【実施例１】
【０００９】
以下、図面等を参照して、本発明の実施例をあげて、さらに詳しく説明する。
図１は、本発明の実施例によるカーナビゲーション装置を示す図である。
この実施例のカーナビゲーション装置１０は、データ入力部１１と、ＧＰＳ受信部１２と、操作部１３と、リモコン１４と、リモコン受信部１５と、表示部１６と、制御部１７などとを備えている。
【００１０】
データ入力部１１は、大容量の記憶媒体からデータを入力するドライブ装置である。この記憶媒体は、例えば、ＣＤ−ＲＯＭやＤＶＤ等が使用され、道路地図データや目印データ、位置検出の精度向上のためのマップマッチング用データ等を含む各種データが記憶されている。
道路地図データは、道路形状、道路幅、道路名、建造物、各種施設、地名、地形等のデータを含むと共に、その道路地図を表示部１６の画面上に再生するためのデータを含んでいる。
【００１１】
この記憶媒体は、上述した地図データと共に、方位占いデータが記憶されており、ナビゲーションの画面上や音声で、地図データに基づいた方位占いデータを重ねて、表示部１６に表示案内し、方位占いナビゲーションモードの選択や、占い目的コースの選択や、進行方向を示すデータが同時に得られるようなっている。
【００１２】
ＧＰＳ受信部１２は、衛星からの電波に基づいて、車両の位置を検出するＧＰＳ（Ｇｌｏｂａｌ Ｐｏｓｉｔｉｏｎｉｎｇ Ｓｙｓｔｅｍ ）信号を受信するための位置検出部である。
【００１３】
操作部１３は、使用者（運転者）が目的地の指定や、表示部１７に表示される道路地図の選択等の各種のコマンドを入力するための各種の操作スイッチ類１３１を備えており、この実施例では、さらに、モード選択部１３２、コース選択部１３３、
文字情報入力部１３４などが設けられている。
操作部１３は、機械的なスイッチでもよいし、その一部が表示部１６の画面上に設けられたタッチパネルから入力されるようになっていてもよい。
【００１４】
また、この操作部１３と同等の機能を有するリモコン１４も設けられており、このリモコン１４からの操作信号が、リモコン受信部１５から入力されるようになっている。
【００１５】
表示部１６は、地図データ記憶部１７１から読み出した現在位置の地図上に、制御部１６で算出した方位の範囲を表示する部分であり、例えば、カラー液晶ディスプレイなどが使用される。
【００１６】
制御部１７は、ＣＰＵ，ＲＯＭ，ＲＡＭ等のマイコンなどから構成され、地図データを記憶する地図データ記憶部１７１と、所定位置からの縁起がよい縁起が悪いとされる方位占いデータを記憶する方位占いデータ記憶部１７２と、ＧＰＳ受信部１２で検出された位置データに基づいて、方位占いデータ記憶部１７２から進むべき吉方位や進むべきではない凶方位の範囲を算出するナビゲーション処理部１７３などとを備えている。
【００１７】
このナビゲーション処理部１７３は、ＧＰＳ受信部１２から得られる現在地の測位データに基づいて、方位占いデータ記憶部１７２に記憶された方位学、水、火、風等からなる地理風水等の方位占いデータを、地図座標に置きかえてナビゲーション処理する。
また、このナビゲーション処理部１７３は、地図情報の他に、観光スポット、夜景スポット等の情報がディスクなどのメディアから得ることができ、選択された占い目的コースに応じて、方位占いデータを共有させてナビゲーション処理する。
方位占いデータ記憶部１７２は、方位占いをデータ化し、転地風水術の中でも使用目的が移動できる車内である特徴を生かし地理風水術をもとに、データベース化している。このデータベース化した情報は、ＧＰＳによって座標が得られやすいよう、緯度、経度で符号化して、ＮＭＥＡセンテンスで応用できることを標準としたものである。
【００１８】
図２は、本実施例によるカーナビゲーション装置の制御部の動作を示す流れ図、図３は、本実施例によるカーナビゲーション装置の表示部の表示例を示す図、図４は、本実施例によるカーナビゲーション装置の表示部の占い目的コースと立ち寄り目的地のテーブルを示す図である。
起動スイッチの投入により、システムの初期化が行わる（Ｓ１０１）。ここで、制御部１１には、モード選択部１２１から、「通常モード」か本発明の特徴である「方位占いモード」かのモード情報（Ｓ１０２）、コース選択部１２２から、恋愛運・金運・健康運・仕事運などの占い目的コースのコース情報（Ｓ１０３）が入力される。ついで、文字情報入力部１２３から、使用者や同伴者の生年月日、血液型、性別などの個人情報（Ｓ１０４）を入力される。
制御部１１は、ＧＰＳ受信部１３から位置日付情報を取得するとともに（Ｓ１０５）、データ入力部１２のＤＶＤ等から現在地周辺の地図情報を読み取る（Ｓ１０６）。
【００１９】
Ｓ１０７では、モード選択部１２１からのモード情報を判定して、「方位占いモード」のときには、Ｓ１０８へ進み、通常モードのときには、Ｓ１１１へ進んで、通常測位地図表示を行う。
【００２０】
Ｓ１０８では、ナビゲーション処理部１１１は、方位占いデータ記憶部１１２に記憶されたアルゴリズムに基づいて、進むべき吉方位や進むべきではない凶方位の範囲を算出する。
Ｓ１０９では、ナビゲーション処理部１１１は、図４に示すテーブルに基づいて、地図データ記憶部１１３に記憶された名所・旧跡・観光施設を含む立ち寄り目的地を、占い目的コースに応じて、吉方位の範囲内の立ち寄り目的地を選択する。
Ｓ１１０では、ナビゲーション処理部１１１は、図３に示すように、現在地Ａを中心に、Ｓ１０８で算出した吉方位Ｂや凶方位Ｃの範囲を表示部１７のカーナビ画面の地図上に表示する。このとき、吉方位Ｂの範囲内に、Ｓ１０９で選択した占い目的コースに応じた立ち寄り目的地Ｄ，Ｅ，Ｆを表示する。
【００２１】
このように、本実施例によれば、ＧＰＳ測位によって得る現在地Ａから、方位占いデータに基づいて、恋愛運・金運・健康運・仕事運などの占い目的に応じて、どの方向に車を走らせたらよいかを表示するので、従来からある指定した目的地までをナビゲーションするシステムではなく、道路交通渋滞情報や迂回路を案内する通常コースに加えて、「方位占い」によって「道しるべ」として案内し縁起がよいとされる行動をアドバイスすることができる。
「地理風水学」に学べるように、車という自由に操れる移動手段を用いて、方位占い上でよいとされる「土地・場所」へのナビゲーションとして活用するので、健康、勉学、恋愛、仕事などの気運を高めることに役に立てることに利用することができる。
【００２２】
（変形例）
以上説明した実施例に限定されることなく、種々の変形や変更が可能であって、それらも本発明の均等の範囲内である。
（１）通常のナビゲーションシステム（現在地、目的地、現在時刻、移動速度、移動方向、移動距離）として機能している状態で、「方位占い機能」を選択することによって、現在地からの「デートコース」、「ドライブコース」等といったコースを画面上でいくつか選択できるようにしてもよい。
（２）位置検出部は、ＧＰＳ受信部からのデータの例で説明したが、磁気センサ、ジャイロスコープ、距離センサ等を設けて、位置補正するようにしてもよい。
【図面の簡単な説明】
【００２３】
【図１】本発明の実施例によるカーナビゲーション装置を示す図である。
【図２】本実施例によるカーナビゲーション装置の制御部の動作を示す流れ図である。
【図３】本実施例によるカーナビゲーション装置の表示部の表示例を示す図である。
【図４】本実施例によるカーナビゲーション装置の表示部の占い目的コースと立ち寄り目的地のテーブルを示す図である。
【符号の説明】
【００２４】
１０  カーナビゲーション装置
１１  データ入力部
１２  ＧＰＳ受信部
１３  操作部
１４  リモコン
１５  リモコン受信部
１６  表示部
１７  制御部
１７１  地図データ記憶部
１７２  方位占いデータ記憶部
１７３  ナビゲーション処理部
【図１】
2005332155.tif 000003
【図２】
2005332155.tif 000004
【図３】
2005332155.tif 000005
【図４】
2005332155.tif 000006